(57)【特許請求の範囲】
【請求項１】
左右に前身頃片を有する前身頃を備え、
前記前身頃片の裏面側に折り返された左右の各前身頃片の上部を当該裏面側に保持することができるように構成され、
各前身頃片の上部に設けられた被留め部材と、
前記各前身頃片の裏面に設けられ、前記被留め部材を留める留め部材と、を備え、
前記各前身頃片の裏面には、紐状部材が取り付けられており、
前記留め部材は、前記紐状部材に取り付けられている、上衣。
【請求項２】
前記紐状部材は、長手方向が前記前身頃片の上部側である斜め上方に向くように配置され、下端が前記前身頃片の裏面に固定され、上端に前記留め部材が取り付けられている、請求項１に記載の上衣。
【請求項３】
左右に前身頃片を有する前身頃を備え、
前記前身頃片の裏面側に折り返された左右の各前身頃片の上部を当該裏面側に保持することができるように構成され、
各前身頃片の上部に設けられた被留め部材と、
前記各前身頃片の裏面に設けられ、前記被留め部材を留める留め部材と、
左右の前身頃片を互いに係止自在な係止機構を、備え、
前記被留め部材には、前記前身頃片の上部に位置する前記係止機構の部材を用いている、上衣。
【請求項４】
前記係止機構は、スナップボタンであり、
前記被留め部材は、各前身頃片の上部に位置する前記スナップボタンの雄スナップ又は雌スナップのいずれかであり、
前記留め部材は、前記前身頃片の上部の前記スナップボタンの雄スナップ又な雌スナップを留めることができるスナップボタンの雌スナップ又は雄スナップである、請求項３に記載の上衣。
【請求項５】
前記各前身頃片の上部を各前身頃片の裏面に保持することにより前身頃のネックラインがＶ字状になるように構成された、請求項１〜４のいずれかに記載の上衣。
【請求項６】
前記上衣がダウンジャケット、ダウンベスト又はダウンコートである、請求項１〜５のいずれかに記載の上衣。
【発明の詳細な説明】
【技術分野】
【０００１】
本発明は、左右に開閉自在な前身頃を有する上衣に関する。
【背景技術】
【０００２】
上衣は、いろんな着合せができると便利である。例えばアウター用のダウンジャケットやダウンベストをインナーとしても使用できれば、上衣の着合せのバリエーションが広がる。
【発明の概要】
【発明が解決しようとする課題】
【０００３】
しかしながら、上衣の首回りのいわゆるネックラインには、丸形（丸首）やＶ字形（Ｖネック）など様々な形状のものがあり、そのネックラインの形状によって上衣の着合せが限定されることがある。例えばアウターとして使用していた丸首のダウンベストをコートのインナーとして使用しようとした場合に、コートの首回りにダウンベストの襟元が大きく見えてしまうため、その着合せをためらうことがある。【０００４】
本願はかかる点に鑑みてなされたものであり、上衣の着合せのバリエーションを増やすことができる上衣を提供することをその目的とする。
【課題を解決するための手段】
【０００５】
本発明の一態様に係る上衣は、左右に前身頃片を有する前身頃を備え、前記前身頃片の裏面側に折り返された左右の各前身頃片の上部を当該裏面側に保持することができるように構成され、各前身頃片の上部に設けられた被留め部材と、前記各前身頃片の裏面に設けられ、前記被留め部材を留める留め部材と、を備え、前記各前身頃片の裏面には、紐状部材が取り付けられており、前記留め部材は、前記紐状部材に取り付けられている。
【０００６】
本態様によれば、左右の各前身頃片の上部を内側に折り返して各前身頃片の裏面に保持することができるので、必要に応じて上衣のネックラインの形状を変えることができ、それによって上衣の着合せのバリエーションを増やすことができる。【０００７】
上衣は、各前身頃片の上部に設けられた被留め部材と、前記各前身頃片の裏面に設けられ、前記被留め部材を留める留め部材と、を備えていてもよい。かかる態様によれば、各前身頃片の上部を好適に各前身頃片の裏面に留めることができる。【０００８】
前記各前身頃片の裏面には、紐状部材が取り付けられており、前記留め部材は、前記紐状部材に取り付けられている。この結果、留め部材が紐状部材により動くことができるので、例えば各前身頃片の上部の折り返した部分がつっぱって前身頃にシワができることを抑制できる。
【０００９】
前記紐状部材は、長手方向が前記前身頃片の上部側である斜め上方に向くように配置され、下端が前記前身頃片の裏面に固定され、上端に前記留め部材が取り付けられていてもよい。【００１０】
別の態様の上衣は、左右に前身頃片を有する前身頃を備え、前記前身頃片の裏面側に折り返された左右の各前身頃片の上部を当該裏面側に保持することができるように構成され、各前身頃片の上部に設けられた被留め部材と、前記各前身頃片の裏面に設けられ、前記被留め部材を留める留め部材と、左右の前身頃片を互いに係止自在な係止機構を、備え、前記被留め部材には、前記前身頃片の上部に位置する前記係止機構の部材を用いている。
【００１１】
前記係止機構は、スナップボタンであり、前記被留め部材は、各前身頃片の上部に位置する前記スナップボタンの雄スナップ又は雌スナップのいずれかであり、前記留め部材は、前記前身頃片の上部の前記スナップボタンの雄スナップ又な雌スナップを留めることができるスナップボタンの雌スナップ又は雄スナップであってもよい。【００１２】
なお、参考例として、前記各前身頃片の裏面には、前記各前身頃片の上部を挿入して保持するポケットが設けられていてもよい。
【００１３】
上衣は、前記各前身頃片の上部を各前身頃片の裏面に保持することにより前身頃のネックラインがＶ字状になるように構成されていてもよい。【００１４】
前記上衣がダウンジャケット、ダウンベスト又はダウンコートであってもよい。
【発明の効果】
【００１５】
本発明によれば、上衣の着合せのバリエーションを増やすことができる上衣を提供することができる。
【図面の簡単な説明】
【００１６】
【図１】上衣の正面図である。
【図２】上衣のスナップボタンを示す説明図である。
【図３】右前身頃片の裏面を示す説明図である。
【図４】右前身頃片の上部を裏面に留めた状態の右前身頃片の裏面を示す説明図である。
【図５】ネックラインがＶ字状になった上衣の正面図である。
【図６】左前身頃片の裏面を示す説明図である。
【図７】左前身頃片の裏面を示す説明図である。
【図８】左前身頃片の上部を裏面に留めた状態の左前身頃片の裏面を示す説明図である。
【図９】上衣をアウターとして使用する一例を示す図である。
【図１０】上衣をインナーとして使用する一例を示す図である。
【図１１】左前身頃片の上部の裏面に雄スナップ又は雌スナップを設ける場合の左前身頃片の裏面を示す説明図である。
【図１２】前身頃片の裏面にポケットを設けた場合の左前身頃片の裏面を示す説明図である。
【発明を実施するための形態】
【００１７】
以下、図面を参照して、本発明の好ましい実施の形態について説明する。なお、同一の要素には同一の符号を付し、重複する説明を省略する。また、上下左右等の位置関係は、特に断らない限り、図面に示す位置関係に基づくものとする。さらに、図面の寸法比率は、図示の比率に限定されるものではない。また、以下の実施の形態は、本発明を説明するための例示であり、本発明はこの実施の形態に限定されるものではない。
【００１８】
図１は、本実施の形態にかかる上衣１の一例を示す正面図である。上衣１は、例えばダウンベストであり、左右に開閉自在な前身頃１０と、後身頃１１を有している。上衣１は、例えば襟がなく円状（丸首）のネックライン２０を有している。前身頃１０は、ネックライン２０の中央から前身頃１０の下端まで上下に延びる分離ライン２１によって前面中央で左右に分かれている。前身頃１０は、左右の前身頃片５０、５１を互いに係止する係止機構としてのスナップボタン３０を備えている。スナップボタン３０は、上下方向に複数並べて設けられている。
【００１９】
各スナップボタン３０は、図２に示すように互いに係止及び係止解除自在な一対の凹型の雌スナップ４０と凸型の雄スナップ４１を備えている。一方の前身頃片（着用者から見て右前身頃片）５０の裏面には、雌スナップ４０が配置され、他方の前身頃片（着用者から見て左前身頃片）５１の表面には、雄スナップ４１が配置されている。雌スナップ４０は、前身頃片５０の裏面の分離ライン２１側（中央側）の側縁６０に沿って上下方向に並べて配置されている。雄スナップ４１は、前身頃片５１の表面の中央側の側縁６１に沿って上下方向に並べて配置されている。前身頃片５０の側縁６０を前身頃片５１の側縁６１の上に重ね、雌スナップ４０と雄スナップ４１を互いに留めることによって前身頃１０の前面中央を閉じることができる。なお、複数の雌スナップ４０のうちの最上部の雌スナップ４０（４０Ｔ）と、複数の雄スナップ４１のうちの最上部の雄スナップ４１（４１Ｔ）は、ネックライン２０と分離ライン２１の交点近辺に配置されており、後述の留め部材に留められる被留め部材を構成している。
【００２０】
図３に示すように前身頃片５０の裏面には、最上部の雌スナップ４０Ｔを留めることができる留め部材としてのスナップボタンの雄スナップ８０が設けられている。前身頃片５０の裏面には、雄スナップ８０を固定するための紐状部材（タグ）９０が取り付けられている。紐状部材９０は、例えば前身頃片５０生地と同じ素材で構成され、細長の長方形状を有している。紐状部材９０は、一端９０ａが前身頃片５０の裏面に縫製され、他端に雄スナップ８０が取り付けられている。雄スナップ８０は、紐状部材９０の表面側（前身頃片５０を裏面側から見たときの紐状部材９０の表面側）に取り付けられている。
【００２１】
紐状部材９０は、長手方向が前身頃片５０の上部側である斜め上方に向くように配置されている。紐状部材９０は、最上部の雌スナップ４０Ｔよりも下の位置に固定され、そこから雌スナップ４０Ｔ側である斜め上方に向けて延びている。紐状部材９０は、例えば最上部の雌スナップ４０Ｔよりもわずかに上の位置に向けられている。すなわち、紐状部材９０の固定された一端９０ａ（下端）と最上部の雌スナップ４０を通る仮想線Ｌ１に対し、固定された一端９０ａと雄スナップ８０のある他端を通る長手方向の仮想線Ｌ２が、３°〜４５°（図３に示す角度α１）程度上方にずれている。
【００２２】
図４に示すように前身頃片５０の上部を内側に折り曲げて最上部の雌スナップ４０Ｔを雄スナップ８０に留めることで、図５に示すように前身頃片５０のネックライン２０がＶネックの一部となる。
【００２３】
図６に示すように前身頃片５１の裏面には、最上部の雄スナップ４１Ｔを留めることができる留め部材としてのスナップボタンの雌スナップ１１０が設けられている。前身頃片５１の裏面には、雌スナップ１１０を固定するための紐状部材１２０が設けられている。紐状部材１２０は、例えば前身頃片５１の生地と同じ素材で構成され、細長の長方形状を有している。紐状部材１２０は、一端１２０ａが前身頃片５１の裏面に縫製され、他端に雌スナップ１１０が取り付けられている。雌スナップ１１０は、紐状部材１２０の裏面側（前身頃片５１を裏面側から見たとき紐状部材１２０の裏面側）に取り付けられている。
【００２４】
図７に示すように紐状部材１２０は、長手方向が前身頃片５１の上部側である斜め上方に向くように配置されている。紐状部材１２０は、最上部の雄スナップ４１Ｔよりも下の位置に固定され、そこから雄スナップ４１Ｔ側である斜め上方に向けて延びている。紐状部材１２０は、例えば最上部の雄スナップ４１Ｔよりもわずかに上の位置に向けられている。すなわち、紐状部材１２０の固定された一端１２０ａ（下端）と最上部の雄スナップ４１Ｔを通る仮想線Ｌ３に対し、固定された一端１２０ａと雌スナップ１１０のある他端を通る長手方向の仮想線Ｌ４が、３°〜４５°（図７に示す角度α２）程度上方にずれている。
【００２５】
図８に示すように前身頃片５１の上部を内側に折り曲げて最上部の雄スナップ４１Ｔを雌スナップ１１０に留めることで、図５に示すように前身頃片５１のネックライン２０がＶネックの一部となる。
【００２６】
上衣１は、例えば紐状部材９０、１２０の縫い目が前身頃片５０、５１の表地に現れないように、次の手順で製造されてもよい。先ず、前身頃片５０、５１の表地と裏地、紐状部材９０、１２０をそれぞれ作る。次に、紐状部材９０、１２０を裏地に縫製する。次に、表地と裏地を縫製して前身頃片５０、５１の形にし、次にその中に羽毛を入れる。本方法によれば、前身頃片５０、５１の表から縫い目が見えないので、外面的に見た目が美しくなる。また、縫い目が必要最低限になることで、羽毛の飛び出しを防ぐことができる。
【００２７】
次に、上衣１の着合わせの一例を説明する。例えば図９に示すように上衣１をアウターとして使用する。この際、例えば前身頃片５０、５１のスナップボタン３０の雌スナップ４０と雄スナップ４１を互いに留めると、ネックライン２０が丸首となる。次に、例えば図１０に示すように上衣１をコート１３０のインナーとして使用する。この際、前身頃片５０の上部を内側に折り返し、前身頃片５０の最上部の雌スナップ４０Ｔを前身頃片５０の裏面の雄スナップ８０に留める（図４に示す）。また前身頃片５１の上部を内側に折り返し、前身頃片５１の最上部の雄スナップ４１Ｔを前身頃片５１の裏面の雌スナップ１１０に留める（図８に示す）。スナップボタン３０の残りの雌スナップ４０と雄スナップ４１を互いに留める。こうすることにより、上衣１のネックライン２０がＶネックとなり、その上衣１を、ネックラインが大きいチェスターコートなどのコート１３０のインナーに使用しても違和感がなくなる。また、コート１３０の前開きを閉じた場合には、コート１３０の首元から上衣１が露出しなくなる。
【００２８】
本実施の形態によれば、上衣１が、左右の各前身頃片５０、５１の上部を内側に折り返して各前身頃片５０、５１の裏面に保持することができるように構成されているので、必要に応じて上衣１のネックライン２０の形状を例えば丸首とＶネックとの間で変える、いわゆる２ＷＡＹで使用することができる。この結果、上衣１の着合せのバリエーションを増やすことができる。
【００２９】
上衣１は、各前身頃片５０、５１の上部に設けられたスナップボタン３０の雌スナップ４０及び雄スナップ４１と、各前身頃片５０、５１の裏面に設けられたスナップボタンの雄スナップ８０及び雌スナップ１１０とを備え、雌スナップ４０を雄スナップ８０に留め、雄スナップ４１を雌スナップ１１０に留めることができる。これにより、各前身頃片５０、５１の上部を好適に各前身頃片５０、５１の裏面に留めることができる。
【００３０】
各前身頃片５０、５１の裏面には、紐状部材９０、１２０が取り付けられており、スナップボタンの雄スナップ８０は、紐状部材９０に取り付けられ、スナップボタンの雌スナップ１１０は、紐状部材１２０に取り付けられている。かかる態様によれば、雄スナップ８０と雌スナップ１１０が動くことができるので、例えば各前身頃片５０、５１の上部の折り返した部分がつっぱって前身頃１０にシワができるようなことを抑制できる。また、上衣１を着ながらでも、前身頃片５０、５１の上部を裏面に留める作業を簡単に行うことができる。
【００３１】
紐状部材９０、１２０は、長手方向が前身頃片５０、５１の上部側である斜め上方に向くように配置され、下端９０ａ、１２０ａが前身頃片５０、５１の裏面に固定され、上端に雄スナップ８０、雌スナップ１１０が取り付けられている。これにより、上衣１を着ながらでも、前身頃片５０、５１の上部を裏面に留める作業をより簡単に行うことができる。    
【００３２】
上衣１が、左右の前身頃片５０、５１を互いに係止自在なスナップボタン３０を有し、前身頃片５０、５１の上部に位置するスナップボタン３０の雌スナップ４０Ｔ、雄スナップ４１Ｔを用いて、前身頃片５０、５１をその裏面に留めているので、前身頃片５０、５１の上部を留めるための専用のボタンを設ける必要がない。
【００３３】
前身頃片５０のスナップボタン３０の最上部の雌スナップ４０Ｔを、その裏面の雄スナップ８０に留めることができ、前身頃片５１のスナップボタン３０の最上部の雄スナップ４１Ｔを、その裏面の雌スナップ１１０に留めることができる。これにより、各前身頃片５０、５１の上部を好適に各前身頃片５０、５１の裏面に留めることができる。
【００３４】
上衣１は、各前身頃片５０、５１の上部を各前身頃片５０、５１の裏面に留めることにより前身頃１０のネックライン２０がＶ字状になるように構成されている。これにより、上衣１をインナーとして使用した際にアウターの首回りから上衣１のネックライン２０が露出することを抑制することができる。
【００３５】
上衣１がダウンベストであったので、ダウンベストをインナーとして使用しやすくなり、防寒対策をしっかり採ることができる。
【００３６】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００３７】
例えば上記実施の形態において、図１１に示すように前身頃片５１の上部の裏面、すなわち最上部の雄スナップ４１Ｔの裏面に、スナップボタンの雄スナップ１５０又は雌スナップ１５０を取り付け、紐状部材１２０には、それを留める雌スナップ１１０又は雄スナップ１１０を取り付けるようにしてもよい。かかる場合、前身頃片５０と同様に、前身頃片５１の上部を裏面側に折り返して、前身頃片５１の裏面の雄スナップ１５０又は雌スナップ１５０を、紐状部材１２０の雌スナップ１１０又は雄スナップ１１０に留めることができるので、前身頃片５１の上部をより簡単に留めることができる。
【００３８】
また、留め部材及び被留め部材が、スナップボタンであったが、これに限られず、互いに係止、係止解除自在なものであれば、ボタンとボタンホール、面ファスナーなどであってもよい。同様に前身頃片５０、５１を互いに係止する係止機構が、スナップボタン３０であったが、ボタンとボタンホール、面ファスナー、ファスナーなどであってもよい。留め部材及び被留め部材の数は、各前身頃片５０、５１に一つずつであったが、複数ずつあってもよい。さらに、留め部材及び被留め部材の位置も、上衣１のサイズなどに応じて適宜変更してもよい。留め部材のボタンを回転式にして、Ｖ字状のネックラインの角度（Ｖ字の深さ）を変更できるようにしてもよい。紐状部材は、前身頃片に縫製により固定されていたが、ボンディング、磁石や面ファスナー等によって固定されるようにしてもよい。
【００３９】
裏面側に折り返された各前身頃片５０、５１の上部を保持する構成は、留め部材及び被留め部材に限られず、他の構成であってもよい。例えば各前身頃片５０、５１の裏面にポケットを設けて、そのポケットに各前身頃片５０、５１の上部を挿入して保持するようにしてもよい。例えば図１２に示すように前身頃片５１の裏面にさらに裏地を追加し、その裏地に前身頃片５１上部側に向けて開口したポケット１６０を設ける。ポケット１６０は、例えば前身頃片５１の裏面に縫製されている。前身頃片５０にも同様のポケット１６０を取り付ける。かかる場合、前身頃片５０、５１の上部をボタン等で留める必要がなく、折り返した状態を簡単に保持することができる。
【００４０】
また、その他に、各前身頃片５０、５１の上部に、形状を記憶する樹脂ワイヤーなどのワイヤーを内蔵させ、各前身頃片５０、５１の上部を裏面側に折り返してその状態を保持できるようにしてもよい。
【００４１】
以上の実施の形態では、上衣１の当初のネックラインが丸首で、各前身頃片５０、５１を折り返して留めた後のネックラインがＶ字状であったが、これらのネックラインの形状はこれに限られない。上衣１は、ダウンベストであったが、これに限られず、例えばダウンジャケット、カーディガン、肌着などの他の上衣１にも本発明は適用できる。
【産業上の利用可能性】
【００４２】
本発明は、上衣の着合せのバリエーションを増やすことができる上衣を提供する際に有用である。
【符号の説明】
【００４３】
１  上衣
１０  前身頃
２０  ネックライン
５０、５１  前身頃片
３０  スナップボタン
４０  雌スナップ
４０Ｔ  最上部の雌スナップ
４１  雄スナップ
４１Ｔ  最上部の雄スナップ
９０  紐状部材
８０  雄スナップ
１１０  雌スナップ
１２０  紐状部材
【要約】
上衣の着合せのバリエーションを増やすことができる上衣を提供する。上衣１は、左右に前身頃片５０、５１を有する前身頃１０を備えている。上衣１は、左右の各前身頃片５０、５１の上部を裏面側に折り返して各前身頃片５０、５１の裏面に保持することができるように構成されている。【図１】
0006312952.tif 000002
【図２】
0006312952.tif 000003
【図３】
0006312952.tif 000004
【図４】
0006312952.tif 000005
【図５】
0006312952.tif 000006
【図６】
0006312952.tif 000007
【図７】
0006312952.tif 000008
【図８】
0006312952.tif 000009
【図９】
0006312952.tif 000010
【図１０】
0006312952.tif 000011
【図１１】
0006312952.tif 000012
【図１２】
0006312952.tif 000013